(57)【要約】      （修正有）【課題】肩部、頚部の筋肉間の張力及び引っ張る力のバランスを保ち、血液循環と新陳代謝を促進することで、姿勢の矯正及び肩部頚部の凝りを改善するネックピローの構造を提供する。【解決手段】主に一つの布カバー１０及び一つの芯材料２０で構成するネックピローの構造である。布カバーは一つの上布１１と下布１２が相対して片側に一つの切欠部１３を具有し、頚部を嵌めるためのＣ字型袋に縫製し、内部に一つの収納スペース１４を形成する。下布は共振エネルギー波を具有して遠赤外線を放射する布とする。芯材料は収納スペースの中に充填し、且つ内部に複数の収納室を縫製する。各一つの収納室の中に、少なくとも一つの充填材料２２を充填し、充填材料は綿層と結合するケイ砂層とする。【選択図】図１
0003220254.tif 000002
【実用新案登録請求の範囲】
【請求項１】
一つの布カバー及び一つの芯材料を含み、
布カバーは一つの上布及び一つの下布が相対して片側に一つの切欠部を具有し、ユーザーの頚部を嵌められるＣ字型の袋に縫製し、内部に一つの収納スペースを形成し、該下布は共振エネルギー波を具有して遠赤外線を放射する布とし、及び、
一つの芯材料は該収納スペースの中に入れ、且つ内部を複数の収納室に縫製し、各一つの収納室の中に、少なくとも一つの充填材料を充填し、該充填材料は一つの綿層が一つのケイ砂層と結合したものであることを特徴とするネックピローの構造。
【請求項２】
前記該布カバーの切欠部の反対側の外側曲面には、該収納スペースと連通する一つの開口を具有し、該開口の上に一つのファスナーを設けることで、該開口の開け閉めが便利になることを特徴とする請求項１記載のネックピローの構造。
【請求項３】
前記該上布は共振エネルギー波を具有して遠赤外線を放射する布とすることを特徴とする請求項１記載のネックピローの構造。
【請求項４】
前記該芯材料の各一つの収納室の中に、複数の充填材料を充填することを特徴とする請求項１記載のネックピローの構造。
【請求項５】
前記該ケイ砂層は複数のケイ砂を粘着の方法を用いて、該綿層の表面に結合することを特徴とする請求項１記載のネックピローの構造。
【請求項６】
前記該布カバーの該切欠部と反対側の外側曲面に、一つの延伸部を形成し、ユーザーの背部を覆うことができ、該芯材料もまた、該延伸部の中に充填する一つの突出部と対応し、該突出部の内部は複数の収納室を縫製し、該複数の収納室はそれぞれ少なくとも一つの充填材料を充填することを特徴とする請求項１記載のネックピローの構造。
【考案の詳細な説明】
【技術分野】
【０００１】
本考案はネックピローの構造に関し、特に肩部と頚部の筋肉の張力と引っ張る力のバランスを保ち、及び血液循環と新陳代謝を促進することで、姿勢を矯正し、及び肩部と頚部の痛みを改善するネックピローの構造に関する。
【背景技術】
【０００２】
人体の首は七つの頚椎によって構成する。上に頭部、下に四肢があり、脊椎の中で最もケガしやすい部位である。正常の頚椎は主に頚部の筋肉と肩部の筋肉の間にある張力と引っ張る力のバランスで支える力を補助する。そのバランスが崩れると、肩首が凝る症状が生じる。一般的に人々は日常生活の中において、字を書く、重い物を持つ…などは、片手を使うのに慣れている、或いはバッグを片側の肩にかけることが多い。よって肩部、頚部の片側の筋肉が長期的に圧力がかかる状態にあるため、頚部の筋肉と肩部の筋肉の間にある張力及び引っ張る力のバランスが崩れ、それにより両肩の高さが異なるなど、姿勢が悪い状態を引き起こす。加えて現代人は普遍的にうつむきで３Ｃ製品を使っているため、悪い姿勢を非常に長時間維持する。よって、肩首が長時間において、受ける力が不均等、及び長時間悪い姿勢を維持する状況で、肩部及び頚部がこわばる、凝るなどの症状を引き起こすだけでなく、肩部、頚部の血液循環及び新陳代謝にも影響を及ぼす。よって、如何にして姿勢を矯正して肩部頚部の凝りをほぐし、肩部、頚部の血液循環及び新陳代謝を促進させるのかが、現代人の共同の課題の一つであることを鑑みて、本考案を案出した。
【先行技術文献】
【特許文献】
【０００３】
【特許文献１】実用新案登録第3215603号公報
【考案の概要】
【考案が解決しようとする課題】
【０００４】
前記公知構造の欠点を解決するため、日常生活において、肩部頚部が長時間受ける力が不均等、及び長時間悪い姿勢を維持する状況による肩首の凝り、血液循環不良及び新陳代謝が悪いなどの問題を解決するネックピローの構造を提供することを主な課題とする。
【課題を解決するための手段】
【０００５】
上述の目的を解決するために、本考案はネックピローの構造を提供するものであり、それに含まれるのは一つの布カバー及び一つの芯材料である。該布カバーは一つの上布及び一つの下布が相対して片側に一つの切欠部を具有し、ユーザーの頚部を嵌めるためのＣ字型袋に縫製し、内部に一つの収納スペースを形成する。該下布は共振エネルギー波を具有して遠赤外線を放射する布とする。該芯材料は該収納スペースの中に充填し、且つ内部に複数の収納室を縫製する。各一つの収納室の中に、少なくとも一つの充填材料を充填し、該充填材料は一つの綿層と結合する一つのケイ砂層とする。
【０００６】
本考案のネックピローをユーザーの頚部に嵌めるとき、該充填材料の中にある綿層を介すことで、良好な柔軟性を具有し、快適感が増す。特に該充填材料の中にあるケイ砂層を使って全体の重さを増やすことができ、それによりユーザーの肩に、比較的バランスの取れた重力を加えることができる。よって、肩部及び頚部各処の筋肉が、均等に圧力及び引っ張る力の作用を受けて、本能的に抗圧反応、引張り反応が生まれ、それにより自然に鍛えられる効果が得られ、頚部の筋肉と肩部の筋肉の間の張力と引っ張る力をバランスの取れた状態に戻すことで、姿勢を矯正する効果に達し、進んでは肩首の凝りを有効的に和らげる。特に該下布は共振エネルギー波を具有して遠赤外線を放射し、更に肩部及び頚部の血液循環及び新陳代謝を促進することで、肩部頚部の凝りを和らげる。また、該ケイ砂層によって形成する重力により、下布を更に肩部及び頚部にフィットすることで、遠赤外線で血液循環及び新陳代謝を促進する効果をアップする。
【考案の効果】
【０００７】
本考案の構造により、肩部、頚部の筋肉間の張力及び引っ張る力のバランスを保ち、血液循環と新陳代謝を促進することで、姿勢の矯正及び肩部頚部の凝りを改善する目的に達する。
【図面の簡単な説明】
【０００８】
【図１】本考案の立体分解略図である。
【図２】本考案の断面拡大略図である。
【図３】本考案の使用状態略図である。
【図４】本考案の第二実施例の俯瞰略図である。
【図５】本考案の第二実施例の使用状態略図である。
【考案を実施するための形態】
【０００９】
以下、本考案の構造と特徴および効果を、最良実施例と図面を参照しながら詳細に説明する。
【実施例１】
【００１０】
図１から図３に示すように、本考案のネックピローに含まれるのは一つの布カバー１０及び一つの芯材料２０である。
【００１１】
該布カバー１０は一つの上布１１及び一つの下布１２が相対して片側に一つの切欠部１３を具有するＣ字型(半月型)の袋に縫製し、且つ内部に一つの収納スペース１４を形成する。該切欠部１３の反対側の外側曲面には、該収納スペース１４と連通する一つの開口１５を具有し、該開口１５の上に一つのファスナー１６を設けることで、該開口の開け閉めが便利になる。該切欠部１３はユーザーの頚部を嵌めることができる。該下布１２は共振エネルギー波を具有して遠赤外線を放射する布とする。
【００１２】
該芯材料２０は該開口１５から該収納スペース１４に入れ、該収納スペース１４の中を一杯に詰める。該芯材料２０の中に複数の収納室２１を形成し、各収納室２１の中には、それぞれ一つの充填材料２２或いは複数の充填材料２２を充填する。該充填材料２２は一つの綿層２３が一つのケイ砂層２４と結合するものとし、該ケイ砂層２４は複数のケイ砂を粘着方法を用いて、該綿層２３の表面に結合して形成することで、該充填材料２２は綿の良好な柔軟性を具有するだけでなく、ケイ砂を介してその重量を増やすことができる。
【００１３】
本考案において、該上布１１はまた、共振エネルギー波を具有し、遠赤外線を放射する布とすることができ、それにより本考案のネックピローは上下側を分けることなく、どちらとも使用することができる。
【００１４】
本考案のネックピローをユーザーの頚部に嵌めるとき、該充填材料２２の中にある綿層２３を介すことで、良好な柔軟性を具有し、快適感が増す。特に該充填材料２２の中にあるケイ砂層２４を使って全体の重さを増やすことができ、それによりユーザーの肩に、比較的バランスの取れた重力を加えることができる。よって、肩部及び頚部各処の筋肉が、均等に圧力及び引っ張る力の作用を受けて、本能的に抗圧反応、引張り反応が生まれ、それにより自然に鍛えられる効果が得られ、頚部の筋肉と肩部の筋肉の間の張力と引っ張る力をバランスの取れた状態に戻すことで、姿勢を矯正する効果に達し、進んでは肩首の凝りを有効的に和らげる。特に該下布１２は共振エネルギー波を具有して遠赤外線を放射し、更に肩部及び頚部の血液循環及び新陳代謝を促進することで、肩部頚部の凝りを和らげる。また、該ケイ砂層２４によって形成する重力により、下布１２を更に肩部及び頚部にフィットすることで、遠赤外線で血液循環及び新陳代謝を促進する効果をアップする。
【実施例２】
【００１５】
図４、図５に示すのは、本考案のネックピローの第二実施例である。その構造は前記実施例と大まか同じであるが、異なるのは、該布カバー１０の該切欠部１３の反対側の外側曲面に一つの延伸部１７を形成し、該芯材料２０もまた、該延伸部１７の中に充填する一つの突出部２５と対応する。該突出部２５は同様に複数の収納室２１を縫製し、それぞれ一つの充填材料２２或いは複数の充填材料２２を充填する。本実施例のネックピローをユーザーの頚部に嵌める際、該延伸部１７はユーザーの背部を覆うことで、背部に血液循環及び新陳代謝を促進する効果がある。
【符号の説明】
【００１６】
１０  布カバー
１１  上布
１２  下布                     
１３  切欠部
１４  収納スペース                   
１５  開口
１６  ファスナー                       
１７  延伸部
２０  芯材料                       
２１  容室
２２  充填材料                     
２３  綿層
２４  ケイ砂層                     
２５  凸出部
【図１】
0003220254.tif 000003
【図２】
0003220254.tif 000004
【図３】
0003220254.tif 000005
【図４】
0003220254.tif 000006
【図５】
0003220254.tif 000007